(57)【要約】【課題】  小型で簡素な構成の生ごみ処理機において、微生物の有効活用が図られるようにし、微生物を保持する媒体と生ごみが固まりになりにくようにするとともに、仮に固まりなった場合でも、小さく破砕されやすくする。【解決手段】  微生物を保持する媒体と生ごみを回転ドラム５の投入口Ｔからドラム内に投入し、回転ドラム５を加熱手段２０で加熱しながら、回転駆動機構６により回転軸３まわりに回転させ、同時に、給気管１６、排気管１７から給・排気することで微生物処理する。回転ドラム５としては、横幅ｂより縦の長さａが長い縦長ドラムとし、投入口Ｔとは反対側のドラム内に、内部空間の一部を仕切る仕切り壁１３を設け、各仕切り空間部に対応して二ヶ所の排出口Ｈを設ける。回転軸３として、回転ドラム５内を貫通する貫通部分を中空筒３ａとし、筒内に給気管１６と排気管１７を設け、回転軸３の一方側から給・排気する。【選択図】        図１
0003118369.tif 000002
【実用新案登録請求の範囲】
【請求項１】
微生物を保持する媒体と生ごみが投入され且つ駆動手段によって水平回転軸まわりに回転駆動される回転ドラムと、この回転ドラムを加熱する加熱手段と、該回転ドラム内に空気を給・排気する給・排気手段を備えた生ごみ処理機であって、前記回転ドラムは、横幅より縦幅の方が長い縦長ドラムであり、また、回転ドラムの長手方向一端側の端面には、該ドラム内に媒体や生ごみを投入するための投入口が設けられ、また、回転ドラムの長手方向の他端側の内部には、内部空間の一部を横方向に二つに仕切る仕切り壁が設けられるとともに、当該側の回転ドラムの端面または側面には、仕切られた空間部に対応して、仕切り空間部内の媒体や生ごみを排出することのできる排出口が二ヶ所設けられることを特徴とする生ごみ処理機。
【請求項２】
前記回転ドラムの回転軸は、回転ドラム内を貫通するとともに、ドラム内を貫通する殆どの貫通部分が、前記給・排気手段の給気管と排気管を挿入せしめることのできる中空筒とされ、この中空筒の一方側端部から前記給気管を通してドラム内に空気を供給し、ドラム内の空気を前記排気管を通して中空筒の同じ側の端部から排気することを特徴とする請求項１に記載の生ごみ処理機。
【考案の詳細な説明】
【技術分野】
【０００１】
本考案は、例えば厨房施設や台所等で生じる魚介類や野菜等の残渣や、残飯等の生ごみを微生物処理する生ごみ処理機に関する。
【背景技術】
【０００２】
従来、厨房施設や台所等から生じる生ごみを処理する比較的小型の装置として、例えば回転ドラムの内面に複数の攪拌羽根を設け、このドラム内に、ドラム側面に連結される投入管から生ごみを投入することにより、微生物を含む分解床と生ごみとを一緒に攪拌するとともに、ドラム内の空気を給・排気系によって給・排気するような技術（例えば、特許文献１参照。）が知られている。
【特許文献１】特開平８−１１７７２８号公報
【考案の開示】
【考案が解決しようとする課題】
【０００３】
ところが、上記のような装置では、微生物処理がバッチ式であり、投入管から投入した生ごみの処理が終えると、その都度、ドラムの排出口から媒体や処理物をすべて排出するため、まだ使える微生物まで一緒に排出されることになり無駄が生じるという問題があった。
また、ドラム内に供給される空気をヒータで加熱するようにしているが、分解床がオガクズ等の粉状物の場合には、オガクズ内に水分が含まれて分解床が粘着性を有するようになり、固まりとなって微生物の処理能力が低下するという不具合もあった。
【０００４】
そこで本考案は、微生物処理が終えた際にも、必要に応じてすべての微生物を排出せずに一部を残して有効利用が図られるようにし、また、微生物を保持する媒体と生ごみが固まりになりにくようにするとともに、仮に固まりなった場合でも、それが小さく破砕されて微生物処理能力が維持されるようにすることを目的とする。
また、この際、特に食堂等の厨房や家庭等で発生する生ごみを処理する装置として好適なように、できる限り装置を小型化、軽量化できるようにする。
【課題を解決するための手段】
【０００５】
上記目的を達成するため本考案は、微生物を保持する媒体と生ごみが投入され且つ駆動手段によって水平回転軸まわりに回転駆動される回転ドラムと、この回転ドラムを加熱する加熱手段と、該回転ドラム内に空気を給・排気する給・排気手段を備えた生ごみ処理機において、前記回転ドラムを、横幅より縦幅の方が長い縦長ドラムとし、また、回転ドラムの長手方向一端側の端面には、該ドラム内に媒体や生ごみを投入するための投入口を設け、また、回転ドラムの長手方向の他端側の内部には、内部空間の一部を横方向に二つに仕切る仕切り壁を設けるとともに、当該側の回転ドラムの端面または側面には、仕切られた空間部に対応して、仕切り空間部内の媒体や生ごみを排出することのできる排出口を二ヶ所設けるようにした。
【０００６】
そして、回転ドラムを縦長ドラムにすることにより、例えば媒体と生ごみがドラムの底部で固まって粘着性を持つようになった場合でも、回転中にドラム上部から剥がれ落ちた際の落下ストロークを大きくすることができ、固まりの破砕効果が高まる。
また、長手方向の一端側端面に投入口を設け、他端側のドラム内に仕切り壁を設けて内部空間の一部を二つに仕切るとともに、各仕切り空間部に対応して排出口をそれぞれ設けることにより、排出する際は、必要に応じて一方側の排出口だけを開けば、内部の媒体の約半分を残した状態にすることができる。このため、微生物の有効利用が図られる。
【０００７】
また、本考案では、前記回転ドラムの回転軸を、回転ドラム内を貫通させるとともに、ドラム内を貫通する殆どの貫通部分を、前記給・排気手段の給気管と排気管を挿入せしめることのできる中空筒とし、この中空筒の一方側端部から前記給気管を通してドラム内に空気を供給し、ドラム内の空気を前記排気管を通して中空筒の同じ側の端部から排気するようにした。
【０００８】
このように、ドラムの回転軸部分を利用してドラム内への空気の給・排気を行うようにすれば、装置の小型化が図られるが、特に、回転軸の一方側からだけ給・排気を行うようにすれば、装置のより小型化、簡素化が図られる。
また、ドラムの回転軸に対応する内部に中空軸を貫通させることにより、回転中にドラム上部から剥がれ落ちた固まりが中空軸に衝突する機会が多くなり、固まりの破砕機能も高まるようになる。このため、必要に応じて、ドラム内の中空軸の上面を凹凸形状にしたり、尖らせた箇所などを設けて破砕効果を高めるようにしてもよい。
【考案の効果】
【０００９】
回転ドラムを回転させることにより、微生物を保持する媒体と生ごみを攪拌しながら微生物処理するような生ごみ処理機において、回転ドラムの縦長方向が上下方向を向くようにし、長手方向の一端側端面に投入口を設けるとともに、長手方向の他端側の内部空間を仕切り壁によって二つに仕切り、各仕切り空間部に対応してそれぞれ排出口を設けることにより、微生物の有効利用が図れるとともに、内部で媒体や生ごみが固まりになっても破砕効果を高めることができる。
また、回転軸部分に中空筒を設け、この中空筒部分を利用して回転軸の一方側端部から給・排気を行えば、装置の一層の小型化、簡素化が図られ、また、ドラム内の中空筒を利用して、落下する固まりの破砕効果を高めることもできる。
【考案を実施するための最良の形態】
【００１０】
本考案の実施の形態について添付した図面に基づき説明する。
ここで、図１は本考案に係る微生物処理機を正面から見た一部断面図、図２は図１のＡ−Ａ方向から見た側面図、図３は回転ドラムを排出口方向から見た説明図、図４は排出口をドラム側面に設ける場合の別構成例図である。
【００１１】
本考案の生ごみ処理機は、例えば、食堂の厨房や家庭等で発生する生ごみを処理する際、回転ドラム内に微生物と生ごみを投入して手軽に微生物処理する装置に好適なように、可能な限り小型化、軽量化が図られており、また、処理が終えた際にも、必要に応じてすべての微生物を排出せずに一部を残して有効利用が図られるようにされている。そして、微生物を保持する媒体と生ごみが固まりになりにくように配慮され、仮に固まりなった場合でも、それが小さく破砕されて微生物処理能力が維持できるようにされている。
【００１２】
すなわち、図１に示すように、本生ごみ処理機１は、一対の支柱２上部に架設状態で配設される回転軸３と、この回転軸３に軸受４を介して回転自在なステンレス製等の回転ドラム５を備えており、この回転ドラム５は、横幅ｂより縦の長さａの方が長い縦長ドラムが使用されて、縦長方向の中間部が水平方向に貫通する回転軸３で回転自在に支持されている。そして、回転軸３が挿通する回転ドラム５の中央部には、軸受４を保持するための張出部５ｈが形成され、一方側の張出部５ｈに、回転ドラム５を回転させるための回転駆動機構６が接続されている。
【００１３】
この回転駆動機構６は、一方側の張出部５ｈに固定される被動ギヤ７と、一方側の支柱２に固定されるモータ等の駆動源８と、この駆動源８の駆動軸に取り付けられる駆動ギヤ９と、この駆動ギヤ９と前記被動ギヤ７間に巻装されるチェーン１１から構成されており、駆動源８の作動によって回転ドラム５に回転力を伝達できるようにされている。
【００１４】
そして、回転ドラム５の内部には、微生物を保持するセラミック、または籾殻、または木材チップ等の媒体と、生ごみとを投入、または排出できるようにされ、この際の投入口Ｔは、回転ドラム５の長手方向の一端側端面に形成されて投入扉１２で開閉自在にされている。また、この投入口とは反対側の回転ドラム５の他端側内部には、内部空間の一部を横方向に仕切る仕切り壁１３が設けられ、仕切られた二つの仕切り空間部に対応して、他端側端面には二ヶ所の排出口Ｈが設けられ、それぞれの排出扉１４で開閉自在にされている。
また、回転ドラム５の外面には、後述する加熱手段２０のヒータ線２４が設けられている。
【００１５】
前記回転軸３は、一方側の軸受４で支持される大径の中空筒３ａと、他方側の軸受４で支持される小径の小径軸３ｂが一体化されたものであり、回転ドラム５内を貫通する殆どの貫通部分が中空筒３ａとされ、この中空筒３ａの開口部から筒内に向けて、同じ方向から給気管１６と排気管１７が挿入されるとともに、給気管１６と排気管１７の延出端部は、中空筒３ａから上方に向けて筒外部に飛び出しており、回転ドラム５内に連通状態にされている。また、ドラム内に飛び出した給気管１６と排気管１７の上端部には、カバーが設けられ、上方からの落下物等が管内に入り込まないようにされている。
そして、給気管１６の基端部側は、不図示の給気源に接続され、排気管１６の基端部側は、浄化器１８を介して排気部（不図示）に接続されている。
なお、本実施例では、回転軸３の一端側を小径軸３ｂとして小径にしているが、必ずしも小径にする必要はなく、大径のままでも良い。但し、回転軸３の一方側を小径にすることにより、軸受機構が小型化されるばかりでなく、装置全体を小型化することが可能となる。
【００１６】
前記加熱手段２０は、回転ドラム５の張出部５ｈのうち、前記被動ギヤ７装着側と反対側の張出部５ｈに取り付けられる支持板２１と、この支持板２１に取り付けられる二本の銅製等のリング接点２２（図２）と、各リング接点２２に接触して電気を流すことのできるカーボンブラシ２３を備えており、各リング接点２２に前記ヒータ線２４（図１）が接続されるとともに、このヒータ線２４が回転ドラム５の外面に巻きつけられ、その周囲がセラミックウール等の断熱材２５で覆われている。
そして、カーボンブラシ２３を通してヒータ線２４に電気を供給し、回転ドラム５を加熱するようにされている。
【００１７】
以上のような生ごみ処理機１の作用等について説明する。
まず、回転ドラム５を加熱手段２０で加熱することにより、微生物の繁殖育成に適した温度条件に設定し、投入口Ｔから微生物が保持される媒体と生ごみを投入し、回転機構６により回転ドラム５を回転駆動する。また、これに伴って給気管１６からドラム内に空気を送り込むと同時に、排気管１７からドラム内の汚れた空気を排気して微生物の繁殖に適した環境に設定する。
【００１８】
すると、回転ドラム５内では媒体と生ごみが攪拌され、微生物に充分な空気が与えられて生ごみの分解、処理が行われる。そしてこの際、生ごみから発生する水分によって媒体と生ごみが固まりやすくなり、丸く固まった状態になると微生物の処理能力が低下してくる。しかし、本考案の場合は、回転ドラム５自体を加熱していることから、固まりになりにくく、仮に固まりになったとしても、回転ドラム５に付着しやすい固まりが、上方にきた位置で剥がれ落ちると、落下ストロークが大きいため、破砕されやくなり、特に、回転軸３の上方で剥がれた場合には、落下の途中に回転軸３に衝突して破砕される可能性が更に大きくなる。このため、微生物の処理能力を高めることができる。
【００１９】
そして、所定時間が経過すると、回転ドラム５は排出口Ｈを下方に向けた状態で停止され、処理物の排出が行われる。そしてこの排出は、二ヶ所の排出扉１４のうち、いずれか一方側だけを開いて、仕切り壁１３で仕切られる一方側の空間部の処理物だけを受けトレイ２６上に排出するようにし、他方側の仕切り空間部の処理物はそのままの状態にしておく。このため、当該仕切り空間部の処理物内に含まれる媒体は、そのままドラム内に残り、次回の処理の際にも再使用される。
【００２０】
そして、一方側の排出口Ｈの排出扉１４を閉じると、次回の生ごみと新たな媒体が投入されて、同じ要領で微生物処理が行われるが、２回目以降の媒体の投入は、初回に較べて約半分程度に減らすことができる。
【００２１】
そして、前記要領にて２回目の微生物処理が終了すると、今度は前回とは違う側の排出口Ｈから処理物を排出し、これを繰り返す。
以上のような要領により、微生物の有効的な活用が可能になるとともに、回転ドラム５内で固まりが生じにくくなり、微生物処理をより有効ならしめることができる。
【００２２】
ところで、処理物の排出口Ｈは、図４に示すように、各仕切り空間部に対応して回転ドラム５の両側面に設けるようにしても良い。
この場合は、処理物を排出するときは、排出口Ｈが下向きになるよう若干回転ドラム５を傾けて停止させ、排出する。
【００２３】
なお、本考案は以上のような実施形態に限定されるものではない。本実用新案登録請求の範囲に記載した事項と実質的に同一の構成を有し、同一の作用効果を奏するものは本実用新案登録の技術的範囲に属する。
例えば回転ドラム５の形状や、回転機構６の具体的構成等は任意であり、また、回転ドラム５の加熱手段２０等の具体的構成等も例示である。
更に、中空筒３ａの上面に破砕効果を高めるための凹凸や先鋭部等を設けるようにしてもよい。
【産業上の利用可能性】
【００２４】
生ごみを微生物処理する装置として小型化が可能であるとともに、処理能力が高く、また、微生物の有効活用を図ることができるため、特に、食堂や家庭等で生じる生ごみの処理に好適である。
【図面の簡単な説明】
【００２５】
【図１】本考案に係る微生物処理機を正面から見た一部断面図
【図２】図１のＡ−Ａ方向から見た側面図
【図３】回転ドラムを排出口方向から見た説明図
【図４】排出口の位置を異ならせた別構成例図
【符号の説明】
【００２６】
１…生ごみ処理機、３…回転軸、３ａ…中空筒、５…回転ドラム、６…回転駆動機構、１３…仕切り壁、１６…給気管、１７…排気管、２０…加熱手段、Ｔ…投入口、Ｈ…排出口。
【図１】
0003118369.tif 000003
【図２】
0003118369.tif 000004
【図３】
0003118369.tif 000005
【図４】
0003118369.tif 000006